(57)【要約】 【課題】第２のダイオードを備え、第２のダイオードの一端は、２次側整流ダイオードのカソードの近傍に、他端は、スイッチングトランスの２次側コモンの近傍に実装することで、２次側整流ダイオードのリカバリー電流をバイパスし、制御回路の動作の安定性をより向上させる。  ２次側整流ダイオードのリカバリー電流が制御回路に流れ込むと、誤動作が発生する可能性がある。【解決手段】第２のダイオード７を設け、第２のダイオード７の一端ｍは、第１のダイオード４のカソードｉの近傍ｏに実装し、第２のダイオード７の他端ｎは、トランス２の２次巻線の他端ｌの近傍ｐに実装する。【選択図】図１
2007159301.tif 000002
【特許請求の範囲】
【請求項１】
第１の直流電源と、トランスと、スイッチング素子と、第１のダイオードと、第２の直流電源と、制御回路と、第２のダイオードを備え、前記第１の直流電源の高電位側は、前記トランスの１次巻線の一端に接続され、前記トランスの１次巻線の他端は、前記スイッチング素子の一端に接続され、前記スイッチング素子の他端は、前記第１の直流電源の低電位側に接続され、前記トランスの２次巻線の一端は、前記第１のダイオードのアノードに接続され、前記第１のダイオードのカソードは、前記第２の直流電源の高電位側に接続され、前記第２の直流電源の低電位側は、前記トランスの２次巻線の他端に接続され、前記第２の直流電源の両端には、前記制御回路と前記第２のダイオードが接続され、前記第２のダイオードのカソードは、前記第１のダイオードのカソードの近傍に実装し、前記第２のダイオードのアノードは、前記トランスの２次巻線の他端の近傍に実装したＤＣ−ＤＣコンバータ。
【請求項２】
第１の直流電源と、トランスと、スイッチング素子と、第１のダイオードと、第２の直流電源と、制御回路と、第２のダイオードを備え、前記第１の直流電源の高電位側は、前記トランスの１次巻線の一端に接続され、前記トランスの１次巻線の他端は、前記スイッチング素子の一端に接続され、前記スイッチング素子の他端は、前記第１の直流電源の低電位側に接続され、前記トランスの２次巻線の一端は、前記第１のダイオードのアノードに接続され、前記第１のダイオードのカソードは、前記第２の直流電源の高電位側に接続され、前記第２の直流電源の低電位側は、前記トランスの２次巻線の他端に接続され、前記第２の直流電源の両端には、前記制御回路と前記第２のダイオードが接続され、前記第２の直流電源の高電位側に接続される前記制御回路の一端の接続点と前記第２のダイオードのカソードの接続点は、前記第２のダイオードのカソードの接続点が、前記制御回路の一端の接続点より前記第１のダイオードのカソードに近くなるように実装し、前記第２の直流電源の低電位側に接続される前記制御回路の他端の接続点と前記第２のダイオードのアノードの接続点は、前記第２のダイオードのアノードの接続点が、前記制御回路の他端の接続点より前記トランスの２次巻線の他端に近くなるように実装したＤＣ−ＤＣコンバータ。
【請求項３】
直流電源と、トランスと、スイッチング素子と、第１のダイオードと、コンデンサと、制御回路と、第２のダイオードを備え、前記直流電源の高電位側は、前記トランスの１次巻線の一端に接続され、前記トランスの１次巻線の他端は、前記スイッチング素子の一端に接続され、前記スイッチング素子の他端は、前記直流電源の低電位側に接続され、前記トランスの２次巻線の一端は、前記第１のダイオードのアノードに接続され、前記第１のダイオードのカソードは、前記コンデンサの一端に接続され、前記コンデンサの他端は、前記トランスの２次巻線の他端に接続され、前記コンデンサの両端には、前記制御回路と前記第２のダイオードが接続され、前記第２のダイオードのカソードは、前記第１のダイオードのカソードの近傍に実装し、前記第２のダイオードのアノードは、前記トランスの２次巻線の他端の近傍に実装したＤＣ−ＤＣコンバータ。
【請求項４】
直流電源と、トランスと、スイッチング素子と、第１のダイオードと、コンデンサと、制御回路と、第２のダイオードを備え、前記直流電源の高電位側は、前記トランスの１次巻線の一端に接続され、前記トランスの１次巻線の他端は、前記スイッチング素子の一端に接続され、前記スイッチング素子の他端は、前記直流電源の低電位側に接続され、前記トランスの２次巻線の一端は、前記第１のダイオードのアノードに接続され、前記第１のダイオードのカソードは、前記コンデンサの一端に接続され、前記コンデンサの他端は、前記トランスの２次巻線の他端に接続され、前記コンデンサの両端には、前記制御回路と前記第２のダイオードが接続され、前記コンデンサの一端に接続される前記制御回路の一端の接続点と前記第２のダイオードのカソードの接続点は、前記第２のダイオードのカソー
ドの接続点が、前記制御回路の一端の接続点より前記第１のダイオードのカソードに近くなるように実装し、前記コンデンサの他端に接続される前記制御回路の他端の接続点と前記第２のダイオードのアノードの接続点は、前記第２のダイオードのアノードの接続点が、前記制御回路の他端の接続点より前記トランスの２次巻線の他端に近くなるように実装したＤＣ−ＤＣコンバータ。
【請求項５】
プリント配線板を備え、上記第１のダイオードのカソードの半田付けランドと上記第２のダイオードのカソードの半田付けランドを一つのランドで設けた請求項１〜４のいずれか１項に記載のＤＣ−ＤＣコンバータ。
【請求項６】
プリント配線板を備え、上記トランスの２次巻線の他端の半田付けランドと上記第２のダイオードのアノードの半田付けランドを一つのランドで設けた請求項１〜５のいずれか１項に記載のＤＣ−ＤＣコンバータ。
【発明の詳細な説明】
【技術分野】
【０００１】
本発明は、直流電源を別の直流電源に変換するＤＣ−ＤＣコンバータに関するものである。
【背景技術】
【０００２】
従来、この種のＤＣ−ＤＣコンバータは、２次側の主回路が、トランスの２次巻線とダイオードとコンデンサにより構成されていた（例えば、特許文献１参照）。
【０００３】
図４は、前記特許文献１に記載された従来のＤＣ−ＤＣコンバータを示すものである。図４に示すように、第１の直流電源であるコンデンサＣ３と、トランス１９と、スイッチング素子であるＦＥＴと、ダイオードＤ１と、第２の直流電源であるコンデンサＣ４と、制御回路２３などから構成されている。
【特許文献１】特開２００３−１３４８１２号公報
【発明の開示】
【発明が解決しようとする課題】
【０００４】
しかしながら、前記従来の構成では、通常は、問題なく動作するが、ＤＣ−ＤＣコンバータを構成する部品の実装状態が良くない場合など、ごく稀に、ダイオードＤ１のリカバリー時に、制御回路２３に過渡的に電流が流れ込み、制御回路２３が誤動作をする可能性が無きにしも非ずという課題を有していた。
【０００５】
上記従来の課題に鑑み、本発明が解決しようとする課題は、ＤＣ−ＤＣコンバータの２次側のダイオードのリカバリー時に、制御回路に電流が流れ込むのを防止し、制御回路の動作の安定性をより向上したＤＣ−ＤＣコンバータを提供することにある。
【課題を解決するための手段】
【０００６】
上記課題を解決するために、本発明のＤＣ−ＤＣコンバータは、第１に、第１の直流電源の高電位側に、トランスの１次巻線の一端を接続し、前記トランスの１次巻線の他端に、スイッチング素子の一端を接続し、前記スイッチング素子の他端に、前記第１の直流電源の低電位側を接続し、前記トランスの２次巻線の一端に、第１のダイオードのアノードを接続し、前記第１のダイオードのカソードに、第２の直流電源の高電位側を接続し、前記第２の直流電源の低電位側に、前記トランスの２次巻線の他端を接続し、前記第２の直流電源の両端に、制御回路と第２のダイオードを接続し、前記第２のダイオードのカソードは、前記第１のダイオードのカソードの近傍に実装し、前記第２のダイオードのアノードは、前記トランスの２次巻線の他端の近傍に実装したものである。
【０００７】
これによって、前記第１のダイオードのリカバリー時に流れる電流は、前記制御回路より物理的に実装距離が短い前記第２のダイオードを通じてほとんど流れることになり、前記制御回路に流れ込むのを大幅に低減でき、前記第１のダイオードのリカバリー時に、前記制御回路が誤動作するのを防ぐ作用をし、前記制御回路の動作の安定性をより向上することができることとなる。
【０００８】
第２に、第１の直流電源の高電位側に、トランスの１次巻線の一端を接続し、前記トランスの１次巻線の他端に、スイッチング素子の一端を接続し、前記スイッチング素子の他端に、第１の直流電源の低電位側を接続し、前記トランスの２次巻線の一端に、第１のダイオードのアノードを接続し、前記第１のダイオードのカソードに、第２の直流電源の高電位側を接続し、前記第２の直流電源の低電位側に、前記トランスの２次巻線の他端を接
続し、前記第２の直流電源の両端に、制御回路と第２のダイオードを接続し、前記第２の直流電源の高電位側に接続される前記制御回路の一端の接続点と前記第２のダイオードのカソードの接続点は、前記第２のダイオードのカソードの接続点が、前記制御回路の一端の接続点より前記第１のダイオードのカソードに近くなるように実装し、前記第２の直流電源の低電位側に接続される前記制御回路の他端の接続点と前記第２のダイオードのアノードの接続点は、前記第２のダイオードのアノードの接続点が、前記制御回路の他端の接続点より前記トランスの２次巻線の他端に近くなるように実装したものである。
【０００９】
これによって、前記第１のダイオードのリカバリー時に流れる電流は、ほとんど、制御回路より実装距離の近い前記第２のダイオードを通じて流れることになり、前記制御回路に流れ込むのを低減でき、前記第１のダイオードのリカバリー時に、前記制御回路が誤動作するのを防ぐことができ、前記制御回路の動作の安定性をより向上することができることとなる。
【００１０】
第３に、直流電源の高電位側に、トランスの１次巻線の一端を接続し、前記トランスの１次巻線の他端に、スイッチング素子の一端を接続し、前記スイッチング素子の他端に、前記直流電源の低電位側を接続し、前記トランスの２次巻線の一端に、第１のダイオードのアノードを接続し、前記第１のダイオードのカソードに、コンデンサの一端を接続し、前記コンデンサの他端に、前記トランスの２次巻線の他端を接続し、前記コンデンサの両端に、制御回路と第２のダイオードを接続し、前記第２のダイオードのカソードは、前記第１のダイオードのカソードの近傍に実装し、前記第２のダイオードのアノードは、前記トランスの２次巻線の他端の近傍に実装したものである。
【００１１】
これによって、前記第１のダイオードのリカバリー時に流れる電流は、ほとんど前記第２のダイオードを通じて流れることになり、前記制御回路に流れ込むのを大幅に低減でき、前記第１のダイオードのリカバリー時に、前記制御回路が誤動作するのを防ぎ、前記制御回路の動作の安定性をより向上することができることとなる。
【００１２】
第４に、直流電源の高電位側に、トランスの１次巻線の一端を接続し、前記トランスの１次巻線の他端に、スイッチング素子の一端を接続し、前記スイッチング素子の他端に、前記直流電源の低電位側を接続し、前記トランスの２次巻線の一端に、第１のダイオードのアノードを接続し、前記第１のダイオードのカソードに、コンデンサの一端を接続し、前記コンデンサの他端に、前記トランスの２次巻線の他端を接続し、前記コンデンサの両端に、制御回路と第２のダイオードを接続し、前記コンデンサの一端に接続される前記制御回路の一端の接続点と前記第２のダイオードのカソードの接続点は、前記第２のダイオードのカソードの接続点が、前記制御回路の一端の接続点より前記第１のダイオードのカソードに近くなるように実装し、前記コンデンサの他端に接続される前記制御回路の他端の接続点と前記第２のダイオードのアノードの接続点は、前記第２のダイオードのアノードの接続点が、前記制御回路の他端の接続点より前記トランスの２次巻線の他端に近くなるように実装したものである。
【００１３】
これによって、前記第１のダイオードのリカバリー時に流れる電流は、ほとんど、制御回路より実装距離の短い前記第２のダイオードを通じて流れることになり、前記制御回路に流れ込むのを低減でき、前記第１のダイオードのリカバリー時に、前記制御回路が誤動作するのを防ぎ、前記制御回路の動作の安定性をより向上することができることとなる。
【００１４】
第５に、プリント配線板を備え、上記第１のダイオードのカソードの半田付けランドと上記第２のダイオードのカソードの半田付けランドを一つのランドで設けたものである。
【００１５】
これによって、上記第２のダイオードのカソードを、上記第１のダイオードのカソード
の近傍に実装することを容易に実現できることとなる。
【００１６】
第６に、プリント配線板を備え、上記トランスの２次巻線の他端の半田付けランドと上記第２のダイオードのアノードの半田付けランドを一つのランドで設けたものである。
【００１７】
これによって、上記第２のダイオードのアノードを、上記トランスの２次巻線の他端の近傍に実装することを容易に実現できることとなる。
【発明の効果】
【００１８】
本発明のＤＣ−ＤＣコンバータは、２次側整流ダイオード（第１のダイオード）のリカバリー時に流れる電流を、別のダイオード（第２のダイオード）を通じて流すことにより、制御回路に流れ込むのを大幅に低減でき、制御回路の誤動作を防ぎ、制御回路の動作の安定性をより向上することができる。
【発明を実施するための最良の形態】
【００１９】
第１の発明は、第１の直流電源と、トランスと、スイッチング素子と、第１のダイオードと、第２の直流電源と、制御回路と、第２のダイオードを備える。
【００２０】
そして、前記第１の直流電源の高電位側に前記トランスの１次巻線の一端を接続し、前記トランスの１次巻線の他端に前記スイッチング素子の一端を接続し、前記スイッチング素子の他端に前記第１の直流電源の低電位側を接続し、前記トランスの２次巻線の一端に前記第１のダイオードのアノードを接続し、前記第１のダイオードのカソードに前記第２の直流電源の高電位側を接続し、前記第２の直流電源の低電位側に前記トランスの２次巻線の他端を接続し、ＤＣ−ＤＣコンバータの主回路を構成する。
【００２１】
また、前記第２の直流電源の両端には、前記制御回路と前記第２のダイオードが接続され、前記第２のダイオードのカソードは、前記第１のダイオードのカソードの近傍に実装し、前記第２のダイオードのアノードは、前記トランスの２次側の他端の近傍に実装する。
【００２２】
前記制御回路は、前記第２の直流電源の両端電圧を検出し、検出した前記第２の直流電源の両端電圧の大きさに基づいて、前記スイッチング素子の導通・非導通を制御することで、ＤＣ−ＤＣコンバータの２次側の出力である前記第２の直流電源の両端電圧を一定値に制御する。
【００２３】
そして、前記第２のダイオードは、カソードが前記第１のダイオードのカソードの近傍に実装され、アノードが前記トランスの２次側の他端の近傍に実装されるので、前記第１のダイオードが導通状態から非導通状態に遷移する時に流れるリカバリー電流は、前記制御回路より実装距離が近い前記第２のダイオードを通じてほとんど流れることになる。
【００２４】
よって、前記第１のダイオードのリカバリー電流が、前記制御回路に流れ込むのを大幅に低減でき、前記制御回路の誤動作を防止し、前記制御回路の動作の安定性をより向上することができる。
【００２５】
第２の発明は、第１の直流電源と、トランスと、スイッチング素子と、第１のダイオードと、第２の直流電源と、制御回路と、第２のダイオードを備える。
【００２６】
そして、前記第１の直流電源の高電位側に前記トランスの１次巻線の一端を接続し、前記トランスの１次巻線の他端に前記スイッチング素子の一端を接続し、前記スイッチング素子の他端に前記第１の直流電源の低電位側を接続し、前記トランスの２次巻線の一端に
前記第１のダイオードのアノードを接続し、前記第１のダイオードのカソードに前記第２の直流電源の高電位側を接続し、前記第２の直流電源の低電位側に前記トランスの２次巻線の他端を接続し、ＤＣ−ＤＣコンバータの主回路を構成する。
【００２７】
また、前記第２の直流電源の両端には、前記制御回路と前記第２のダイオードが接続され、前記第２の直流電源の高電位側に接続される前記制御回路の一端の接続点と前記第２のダイオードのカソードの接続点は、前記第２のダイオードのカソードの接続点が、前記制御回路の一端の接続点より前記第１のダイオードのカソード端子に近くなるように実装し、前記第２の直流電源の低電位側に接続される前記制御回路の他端の接続点と前記第２のダイオードのアノードの接続点は、前記第２のダイオードのアノードの接続点が、前記制御回路の他端の接続点より前記トランスの２次巻線の他端に近くなるように実装する。
【００２８】
そして、前記制御回路は、前記第２の直流電源の両端電圧を検出し、検出した前記第２の直流電源の両端電圧に基づいて、前記スイッチング素子の導通・非導通を制御することで、ＤＣ−ＤＣコンバータの２次側の出力である前記第２の直流電源の両端電圧を一定値に制御する。
【００２９】
前記制御回路と前記第２のダイオードの実装の位置関係は、前記第２の直流電源の高電位側に接続される前記制御回路の一端の接続点と前記第２のダイオードのカソードの接続点は、前記第２のダイオードのカソードの接続点が、前記制御回路の一端の接続点より前記第１のダイオードのカソード端子に近くなるように実装され、前記第２の直流電源の低電位側に接続される前記制御回路の他端の接続点と前記第２のダイオードのアノードの接続点は、前記第２のダイオードのアノードの接続点が、前記制御回路の他端の接続点より前記トランスの２次巻線の他端に近くなるように実装される。
【００３０】
前記第１のダイオードが導通状態から非導通状態に遷移する時に流れるリカバリー電流は、前記制御回路より実装距離が短い前記第２のダイオードを通じてほとんど流れることになる。
【００３１】
よって、前記第１のダイオードのリカバリー電流が、前記制御回路に流れ込むのを著しく低減でき、前記制御回路の誤動作を防止し、前記制御回路の動作の安定性を向上することができる。
【００３２】
第３の発明は、直流電源と、トランスと、スイッチング素子と、第１のダイオードと、コンデンサと、制御回路と、第２のダイオードを備える。
【００３３】
そして、前記直流電源の高電位側に前記トランスの１次巻線の一端を接続し、前記トランスの１次巻線の他端に前記スイッチング素子の一端を接続し、前記スイッチング素子の他端に前記直流電源の低電位側を接続し、前記トランスの２次巻線の一端に前記第１のダイオードのアノードを接続し、前記第１のダイオードのカソードに前記コンデンサの一端を接続し、前記コンデンサの他端に前記トランスの２次巻線の他端を接続し、ＤＣ−ＤＣコンバータの主回路を構成する。
【００３４】
また、前記コンデンサの両端には、前記制御回路と前記第２のダイオードが接続され、前記第２のダイオードのカソードは、前記第１のダイオードのカソードの近傍に実装し、前記第２のダイオードのアノードは、前記トランスの２次側の他端の近傍に実装する。
【００３５】
また、前記制御回路は、前記コンデンサの両端電圧を検出し、検出した前記コンデンサの両端電圧に基づいて、前記スイッチング素子の導通・非導通を制御することで、ＤＣ−ＤＣコンバータの２次側の出力である前記コンデンサの両端電圧を一定値に制御する。
【００３６】
そして、前記第２のダイオードは、カソードが前記第１のダイオードのカソードの近傍に実装され、アノードが前記トランスの２次側の他端の近傍に実装されるので、前記第１のダイオードが導通状態から非導通状態に遷移する時に流れるリカバリー電流は、前記制御回路より実装距離が近い前記第２のダイオードを通じてほとんど流れることになる。
【００３７】
よって、前記第１のダイオードのリカバリー電流が、前記制御回路に流れ込むのを防ぐことができ、前記制御回路の誤動作を防止し、前記制御回路の動作の安定性を向上することができる。
【００３８】
第４の発明は、直流電源と、トランスと、スイッチング素子と、第１のダイオードと、コンデンサと、制御回路と、第２のダイオードを備える。
【００３９】
そして、前記直流電源の高電位側に前記トランスの１次巻線の一端を接続し、前記トランスの１次巻線の他端に前記スイッチング素子の一端を接続し、前記スイッチング素子の他端に前記直流電源の低電位側を接続し、前記トランスの２次巻線の一端に前記第１のダイオードのアノードを接続し、前記第１のダイオードのカソードに前記コンデンサの一端を接続し、前記コンデンサの他端に前記トランスの２次巻線の他端を接続し、ＤＣ−ＤＣコンバータの主回路を構成する。
【００４０】
また、前記コンデンサの両端には、前記制御回路と前記第２のダイオードが接続され、前記コンデンサの一端に接続される前記制御回路の一端の接続点と前記第２のダイオードのカソードの接続点は、前記第２のダイオードのカソードの接続点が、前記制御回路の一端の接続点より前記第１のダイオードのカソードに近くなるように実装し、前記コンデンサの他端に接続される前記制御回路の他端の接続点と前記第２のダイオードのアノードの接続点は、前記第２のダイオードのアノードの接続点が、前記制御回路の他端の接続点より前記トランスの２次巻線の他端に近くなるように実装する。
【００４１】
また、前記制御回路は、前記コンデンサの両端電圧を検出し、検出した前記コンデンサの両端電圧に基づいて、前記スイッチング素子の導通・非導通を制御することで、ＤＣ−ＤＣコンバータの２次側の出力である前記コンデンサの両端電圧を一定値に制御する。
【００４２】
そして、前記制御回路と前記第２のダイオードの実装の位置関係は、前記コンデンサの一端に接続される前記制御回路の一端の接続点と前記第２のダイオードのカソードの接続点は、前記第２のダイオードのカソードの接続点が、前記制御回路の一端の接続点より前記第１のダイオードのカソードに近くなるように実装され、前記コンデンサの他端に接続される前記制御回路の他端の接続点と前記第２のダイオードのアノードの接続点は、前記第２のダイオードのアノードの接続点が、前記制御回路の他端の接続点より前記トランスの２次巻線の他端に近くなるように実装されるので、前記第１のダイオードが導通状態から非導通状態に遷移する時に流れるリカバリー電流は、前記制御回路より実装距離が近い前記第２のダイオードを通じてほとんど流れることになる。
【００４３】
よって、前記第１のダイオードのリカバリー電流が、前記制御回路に流れ込むのを防ぐことができ、前記制御回路の誤動作を防止し、前記制御回路の動作の安定性を向上することができる。
【００４４】
第５の発明は、プリント配線板を備え、上記第１のダイオードのカソードの半田付けランドと上記第２のダイオードのカソードの半田付けランドを一つのランドで設けたものである。
【００４５】
よって、上記第２のダイオードのカソードを、上記第１のダイオードのカソードの近傍に実装することを容易に実現できることとなる。
【００４６】
第６の発明は、プリント配線板を備え、上記トランスの２次巻線の他端の半田付けランドと上記第２のダイオードのアノードの半田付けランドを一つのランドで設けたものである。
【００４７】
よって、上記第２のダイオードのアノードを、上記トランスの２次巻線の他端の近傍に実装することを容易に実現できることとなる。
【００４８】
以下、本発明の実施の形態について、図面を参照しながら説明する。なお、本実施の形態によって本発明が限定されるものではない。
【００４９】
（実施の形態１）
図１は、本発明の第１の実施の形態におけるＤＣ−ＤＣコンバータの主要な回路図を示すものである。図１において、１は第１の直流電源で、２はトランスで、３はスイッチング素子で、４は第１のダイオードで、５は第２の直流電源で、６は制御回路で、７は第２のダイオードである。
【００５０】
第１の直流電源１の高電位側ａは、トランス２の１次巻線の一端ｂに接続され、トランス２の１次巻線の他端ｃは、スイッチング素子３の一端ｄに接続され、スイッチング素子３の他端ｅは、第１の直流電源１の低電位側ｆに接続され、トランス２の２次巻線の一端ｇは、第１のダイオード４のアノードｈに接続され、第１のダイオード４のカソードｉは、第２の直流電源５の高電位側ｊに接続され、第２の直流電源５の低電位側ｋは、トランス２の２次巻線の他端ｌに接続され、以上より、ＤＣ−ＤＣコンバータの主回路が構成される。
【００５１】
第２の直流電源５の両端には、制御回路６と第２のダイオード７が接続され、第２のダイオード７のカソードｍは、第１のダイオード４のカソードｉの近傍ｏに接続され、第２のダイオード７のアノードｎは、トランス２の２次側の他端ｌの近傍ｐに接続される。
【００５２】
図２は、ＤＣ−ＤＣコンバータが実装されたプリント配線板８の一部分を半田面側から見たものであり、第１のダイオード４のカソードｉが半田付けされるランド９と第２のダイオード７のカソードｍが半田付けされるランド１０は、一つのランドで共通に設けられている。
【００５３】
なお、１１は第１のダイオード４のカソードｉが挿入される穴で、１２は第２のダイオード７のカソードｍが挿入される穴である。１３、１４は、それぞれ、第１のダイオード４と第２のダイオード７のサービスマップ（半田面シルク）である。１５は、ランド９に接続されるパターン（銅箔）であり、表面にレジストが塗られている。
【００５４】
以上のように構成されたＤＣ−ＤＣコンバータについて、以下その動作、作用を説明する。
【００５５】
まず、スイッチング素子３がオンすると、第１の直流電源１よりトランス２の１次巻線にエネルギーが蓄えられる。次に、スイッチング素子３がオフすると、トランス２に蓄えられたエネルギーが、トランス２の２次巻線より第２の直流電源５に放出される。
【００５６】
制御回路６は、第２の直流電源５の両端電圧を検出し、検出した第２の直流電源５の両端電圧の大きさに基づいて、スイッチング素子３のオン・オフを制御し、ＤＣ−ＤＣコン
バータの２次側の出力である第２の直流電源５の両端電圧の大きさを一定に制御する。
【００５７】
スイッチング素子３がオフの状態からオンの状態に遷移する時、第１のダイオード４はオンの状態からオフの状態に遷移するが、この時過渡的に、第１のダイオード４にはリカバリー電流が流れる。第２のダイオード７は、第１のダイオード４のカソードｉの近傍ｏとトランス２の２次側ｌの近傍ｐに接続されているので、リカバリー電流は、ほとんどｈ→ｇ→ｌ→ｐ→ｎ→ｍ→ｏ→ｉのループ１の経路で流れることになり、ｈ→ｇ→ｌ→ｑ→ｒ→ｉのループ２の経路で制御回路６を流れる成分をほとんど無くすことができ、制御回路６が誤動作する可能性を著しく低下でき、制御回路６の動作の安定性をより向上することができる。
【００５８】
以上のように、本実施の形態においては、第２のダイオード７のカソードｍを第１のダイオード４のカソードｉの近傍ｏに実装し、第２のダイオード７のアノードｎをトランス２の２次側の他端ｌの近傍ｐに実装しているので、第１のダイオード４のリカバリー電流を、実装距離を短くした第２のダイオード７を通じて流すことができ、制御回路６に流れ込むのを大幅に低減することができ、制御回路６の動作の安定性をより向上することができるものである。
【００５９】
なお、本実施の形態１では、ＤＣ−ＤＣコンバータの主回路の構成をフライバックコンバータとしたが、その他の方式のＤＣ−ＤＣコンバータ、例えば、フォワードコンバータなどでも同様の効果を奏する。
【００６０】
（実施の形態２）
図３は、本発明の第２の実施の形態におけるＤＣ−ＤＣコンバータの主要な回路図を示すものである。
【００６１】
図３において、１６は商用交流電源で、１７は整流器で、１８は直流電源である電解コンデンサで、１９はトランスで、２０はスイッチング素子であるトランジスタで、２１は第１のダイオードで、２２はコンデンサである電解コンデンサで、２３は制御回路で、２４は第２のダイオードで、２５は負荷である。
【００６２】
制御回路２３は、抵抗２６と、抵抗２７と、抵抗２８と、シャントレギュレータ２９と、フォトカプラ３０と、駆動回路３１より構成されている。
【００６３】
商用交流電源１６を整流器１７で整流し、電解コンデンサ１８で平滑することで直流電源が構成されている。
【００６４】
直流電源である電解コンデンサ１８のプラス側は、トランス１９の１次巻線の一端に接続され、トランス１９の１次巻線の他端は、トランジスタ２０のコレクタに接続され、トランジスタ２０エミッタは、電解コンデンサ１８のマイナス側に接続され、トランス１９の２次巻線の一端は、第１のダイオード２１のアノードに接続され、ダイオード２１のカソードｕは、電解コンデンサ２２のプラス側に接続され、電解コンデンサ２２のマイナス側は、トランス１９の２次巻線の他端ｘに接続されている。
【００６５】
電解コンデンサ２２の両端には、制御回路２３と第２のダイオード２４が接続され、電解コンデンサ２２の一端であるプラス側に接続される制御回路２３の一端の接続点ｓと第２のダイオード２４のカソードの接続点ｔは、第２のダイオード２４のカソードの接続点ｔが、制御回路２３の一端の接続点ｓより第１のダイオード２１のカソードｕに距離が近くなるように実装され、電解コンデンサ２２の他端であるマイナス側に接続される制御回路２３の他端の接続点ｖと第２のダイオード２４のアノードの接続点ｗは、第２のダイオ
ード２４のアノードの接続点ｗが、制御回路２３の他端の接続点ｖよりトランス１９の２次巻線の他端ｘに近くなるように実装されている。
【００６６】
負荷２５には、コンデンサである電解コンデンサ２２より電力が供給される。
【００６７】
以上のように構成されたＤＣ−ＤＣコンバータについて、以下その動作、作用を説明する。
【００６８】
まず、トランジスタ２０がオンすると、電解コンデンサ１８よりトランス１９の１次巻線に電流が流れ、トランス１９にエネルギーが蓄えられる。次に、トランジスタ２０がオフすると、トランス１９に蓄えられたエネルギーが、トランス１９の２次巻線より第１のダイオード２１を介して電解コンデンサ２２に放出される。
【００６９】
制御回路２３は、電解コンデンサ２２の両端電圧を抵抗２６と抵抗２７との分圧値で検出し、検出した抵抗２６と抵抗２７との分圧値とシャントレギュレータ２９の基準電圧値とに基づき、フォトカプラ３０、駆動回路３１を介してトランジスタ２０のオン・オフを制御し、ＤＣ−ＤＣコンバータの２次側の出力である電解コンデンサ２２の両端電圧の大きさを一定に制御する。そして、負荷２５に電力が供給される。
【００７０】
トランジスタ２０がオフの状態からオンの状態に遷移する時、第１のダイオード２１はオンの状態からオフの状態に遷移するが、この時、第１のダイオード２１には、過渡的にリカバリー電流が流れる。制御回路２３の一端の接続点ｓと第２のダイオード２４のカソードの接続点ｔは、第２のダイオード２４のカソードの接続点ｔが、制御回路２３の一端の接続点ｓより第１のダイオード２１のカソードｕに近くなるように実装され、また、制御回路２３の他端の接続点ｖと第２のダイオード２４のアノードの接続点ｗは、第２のダイオード２４のアノードの接続点ｗが、制御回路２３の他端の接続点ｖよりトランス１９の２次巻線の他端ｘに近くなるように実装されているので、リカバリー電流は、ほとんど、実装距離が制御回路２３より短い第２のダイオード２４を通る経路で流れることになり、制御回路２３を通じて流れる電流、例えば、フォトカプラ３０のダイオードを逆方向に流れる電流などをほとんど無くすことができ、制御回路２３が誤動作する可能性を著しく低下でき、制御回路２３の動作の安定性をより向上することができる。
【００７１】
以上のように、本実施の形態においては、電解コンデンサ２２のプラス側に接続される制御回路２３の一端の接続点ｓと第２のダイオード２４のカソードの接続点ｔは、第２のダイオード２４のカソードの接続点ｔが、制御回路２３の一端の接続点ｓより第１のダイオード２１のカソードｕに近くなるように実装され、電解コンデンサ２２のマイナス側に接続される制御回路２３の他端の接続点ｖと第２のダイオード２４の他端の接続点ｗは、第２のダイオード２４のアノードの接続点ｗが、制御回路２３の他端の接続点ｖよりトランス１９の２次巻線の他端ｘに近くなるように実装されているので、第２のダイオード２４が第１のダイオード２１のリカバリー電流を制御回路２３に流れ込むのをバイパスでき、制御回路２３の動作の安定性をより向上することができるものである。
【００７２】
なお、電解コンデンサ２２の両端に接続される制御回路２３の接続の方法として、電解コンデンサ２２の高電位側と低電位側に、それぞれ１点で接続する必要はなく、それぞれ複数点で接続しても良い。
【産業上の利用可能性】
【００７３】
以上のように、本発明にかかるＤＣ−ＤＣコンバータは、動作安定性の更なる向上が可能となるので、信頼性をより求められる機器への用途にも適用できる。
【図面の簡単な説明】
【００７４】
【図１】本発明の実施の形態１におけるＤＣ−ＤＣコンバータの回路図
【図２】本発明の実施の形態１におけるＤＣ−ＤＣコンバータを実装したプリント配線板の半田面視図
【図３】本発明の実施の形態２におけるＤＣ−ＤＣコンバータの回路図
【図４】従来のＤＣ−ＤＣコンバータの回路図
【符号の説明】
【００７５】
１  第１の直流電源
２  トランス
３  スイッチング素子
４  第１のダイオード
５  第２の直流電源
６  制御回路
７  第２のダイオード
１８  電解コンデンサ（直流電源）
１９  トランス
２０  トランジスタ（スイッチング素子）
２１  第１のダイオード
２２  電解コンデンサ（コンデンサ）
２３  制御回路
２４  第２のダイオード
８  プリント配線板
９  第１のダイオードのカソードの半田付けランド
１０  第２のダイオードのカソードの半田付けランド
【図１】
2007159301.tif 000003
【図２】
2007159301.tif 000004
【図３】
2007159301.tif 000005
【図４】
2007159301.tif 000006